(57)【要約】【課題】  コモンモードフィルタ２と接地用コンデンサ７で決まる直列共振周波数をインバータ形点灯回路３の動作周波数よりも小さくする。これにより不所望なノイズ帰還を防止する。【解決手段】  交流電源１とその後段のコモンモードフィルタ２とその後段の高周波電圧を発生するインバータ形点灯回路３とを備える。前記高周波電圧を受ける放電灯４を備える。前記放電灯４とその光を反射する反射板６間に浮遊容量５が形成される。前記反射板３との間にその間の接地配線に基づくインダクタンス８が形成される。前記コモンモードフィルタ２の後段の配線と前記反射板６との間に接続される接地用コンデンサ７を備える。前記コモンモードフィルタ２と接地用コンデンサ７とによる直列共振周波数を前記インバータ形点灯回路３の動作周波数よりも小さくする。【選択図】    図１
2006093069.tif 000002
【特許請求の範囲】
【請求項１】
交流電源（１）とその後段のコモンモードフィルタ（２）とその後段の高周波電圧を発生するインバータ形点灯回路（３）とを備え、前記高周波電圧を受ける放電灯（４）を備え、前記放電灯（４）とその光を反射する反射板（６）間に浮遊容量（５）が形成され、前記反射板（３）と対地アース（９）との間にその間の接地配線に基づくインダクタンス（８）が形成され、前記コモンモードフィルタ（２）の後段の配線と前記反射板（６）との間に接続される接地用コンデンサ（７）を備え、前記コモンモードフィルタ（２）と前記接地用コンデンサ（７）とによる直列共振周波数を前記インバータ形点灯回路（３）の動作周波数よりも小さくしたことを特徴とする放電灯点灯装置。
【発明の詳細な説明】
【技術分野】
【０００１】  本発明は高周波電圧を発生するインバータ形点灯回路の出力で放電灯を点灯させる放電灯点灯装置に関するものである。特にそのコモンモードノイズを外部に出力することを防止するものである。
【背景技術】
【０００２】  交流電源後段のコモンモードフィルタと前記交流電源の一線と反射板との間に接続された接地用コンデンサが付属する放電灯点灯装置は周知である。そのような多くの製品事例が存在する。
【発明の開示】
【発明が解決しようとする課題】
【０００３】  本発明においては、コモンモードフィルタと接地用コンデンサで決まる直列共振周波数をインバータ形点灯回路の動作周波数よりも小さくする。これにより不所望なノイズ帰還を防止することを目的とする。
【課題を解決するための手段】
【０００４】  本発明においては、交流電源とその後段のコモンモードフィルタとその後段の高周波電圧を発生するインバータ形点灯回路とを備える。前記高周波電圧を受ける放電灯を備える。前記放電灯とその光を反射する反射板間に浮遊容量が形成される。前記反射板との間にその間の接地配線に基づくインダクタンスが形成される。前記コモンモードフィルタの後段の配線と前記反射板との間に接続される接地用コンデンサを備える。前記コモンモードフィルタと接地用コンデンサとによる直列共振周波数を前記インバータ形点灯回路の動作周波数よりも小さくする。
【発明の効果】
【０００５】  本発明においては、接地配線が長くなり、その間の接地配線に基づくインダクタンスが大きい場合であっても、コモンモードフィルタのインダクタンスおよび前記接地配線によるインダクタンス等に基づく実質の直列共振周波数がインバータ形点灯回路の動作周波数よりも乖離する傾向となり、直列共振の影響が相対的に軽微となるために、交流電源あるいは接地配線に基づくインダクタンスに帰還する動作周波数成分電圧の帰還が軽微となり、他機器の誤動作を回避することができる。
【発明を実施するための最良の形態】
【０００６】  図１を用いて本発明の実施形態について説明する。図１装置は、交流電源１とその後段のコモンモードフィルタ２とその後段の高周波電圧を発生するインバータ形点灯回路３とを備える。前記高周波電圧を受ける放電灯４を備える。前記放電灯４とその光を反射する反射板６間に浮遊容量５が形成される。前記反射板３との間にその間の接地配線に基づくインダクタンス８が形成される。前記コモンモードフィルタ２の後段の配線と前記反射板６との間に接続される接地用コンデンサ７を備える。前記コモンモードフィルタ２と接地用コンデンサ７とによる直列共振周波数を前記インバータ形点灯回路３の動作周波数よりも小さくする。【０００７】  説明を補足する。コモンモードフィルタ２は共通鉄心上に巻回された一対のコイルを具備し、夫々のコイルが交流電源１の各ラインに配置される。コモンモードフィルタ２はコモンモードのノイズをカットする。高周波電圧を発生するインバータ形点灯回路３の動作周波数の例は４５ｋＨｚである。インバータ形点灯回路３は図外の全波整流回路、平滑用コンデンサ、インバータ、バラスト用インダクタ、予熱用コンデンサを具備する。放電灯４の例は蛍光ランプである。浮遊容量５は意図して接続するものではなく、必然的に形成されるものである。反射板６がない場合は本発明の対象にならない。接地配線に基づくインダクタンス８も意図して接続するものではなく、必然的に形成されるものである。特に建屋内に這わされる長い接地線の場合は相対的に大きなインダクタンス８となり、その影響が無視できなくなる。【０００８】  接地用コンデンサ７はインバータ形点灯回路３に付属する。その接続端は前記全波整流回路における一方の直流端子側であっても構わない。要はコモンモードフィルタ２後段の低周波側前記高周波電圧の電位が形成されない部位であればよい。接地用コンデンサ７の他端は反射板６に接続される。接地用コンデンサ７の他端および反射板６が接地配線に共に接続されるためである。反射板６が図外の器具本体と電気的に接続されている場合は反射板６に代えて前記器具本体を接地しても同効である。実用上は後者となることが多い。【０００９】  図２（ａ）は本発明実施例に係り、（ｂ）は従来例に係る。横軸は周波数、縦軸は共振電圧である。共振電圧は接地配線に基づくインダクタンス８電圧である。従来例（ｂ）ではコモンモードフィルタ２のインダクタンスとフィルタ用コンデンサ７の容量で決まる直列共振周波数ｆ０がインバータ形点灯回路３の動作周波数ｆ１よりも大きい。接地配線によるインダクタンス８とにより実質の直列共振周波数は前記Ｆ０よりも小さくなることがある。また、浮遊容量５によっても同様となる。接地配線によるインダクタンス８はコモンモードフィルタ２のインダクタンスに足し増しされ、浮遊容量５は接地用コンデンサ７の容量に足し増しされ、その分だけ実質の直列共振周波数は前記Ｆ０よりも小さくなる。【００１０】  これにより、実質の直列共振周波数が前記Ｆ０よりも小さくなり、動作周波数Ｆ１に近づくと、直列共振現象を生ずる。放電灯４電圧は動作周波数ｆ１電圧であり、それが浮遊容量５に印加する。浮遊容量５はフィルタ用コンデンサ７と実質的に並列であり、そ��両端の動作周波数ｆ１電圧が直列共振により増幅され、交流電源１配線に帰還する。同じ交流電源１に接続される図外の他機器とくに接地配線によるインダクタンス８を共用することとなる他機器に高周波ノイズが重畳し、他機器を誤動作させる。【００１１】  本発明に係る図２（ａ）の場合はコモンモードフィルタ２のインダクタンスと接地用コンデンサ７の容量で決まる直列共振周波数ｆ０をインバータ形点灯回路３の動作周波数ｆ１よりも小さくする。この場合は、接地配線によるインダクタンス８あるいは浮遊容量５の影響で実質の直列共振周波数は前記ｆ０よりも小さくなり、動作周波数ｆ１からさらに遠ざかる。このため、直列共振による影響は軽微となり、他機器に高周波ノイズが重畳せず、他機器を誤動作させることがない。
【図面の簡単な説明】
【００１２】
【図１】本発装置の回路図である。
【図２】その動作説明図である。
【符号の説明】
【００１３】１：交流電源
２：コモンモードフィルタ
３：インバータ形点灯回路
４：放電灯
５：浮遊容量
６：反射板
７：接地用コンデンサ
８：接地配線によるインダクタンス
９：対地アース
【図１】
2006093069.tif 000003
【図２】
2006093069.tif 000004